(57)【要約】      （修正有）【課題】確実に挟持状態を維持することができ、立体的に嵩張ることがなく、他の部材と重なったり絡んだりすることもなく、操作性が良い医療用クランプ及び医療用具を提供すること。【解決手段】板状の本体２にチューブ保持孔３を形成し、当該チューブ保持孔に連続して、第一のチューブ挟持孔５と第二のチューブ挟持孔６を形成し、当該第一のチューブ挟持孔５と前記第二のチューブ挟持孔の幅を、前記チューブ保持孔３から離れるにつれて、次第に狭くなるように形成した医療用クランプ１。【選択図】図１
0003119004.tif 000002
【実用新案登録請求の範囲】
【請求項１】
板状の本体（２、２Ａ、２２）にチューブ保持孔（３、３Ａ、２３）を形成し、当該チューブ保持孔（３、３Ａ、２３）に連続して、第一のチューブ挟持孔（５、５Ａ、２５）と第二のチューブ挟持孔（６、６Ａ、２６）を形成し、
当該第一のチューブ挟持孔（５、５Ａ、２５）と前記第二のチューブ挟持孔（６、６Ａ、２６）の幅を、
前記チューブ保持孔（３、３Ａ、２３）から離れるにつれて、次第に狭くなるように形成したことを特徴とする医療用クランプ（１、１１、２１）。
【請求項２】
板状の本体（２、２Ａ）にチューブ保持孔（３、３Ａ）を形成し、当該チューブ保持孔（３、３Ａ）の両側に、連続して第一のチューブ挟持孔（５、５Ａ）と第二のチューブ挟持孔（６、６Ａ）を形成し、
当該第一のチューブ挟持孔（５、５Ａ）と前記第二のチューブ挟持孔（６、６Ａ）の幅を、
前記チューブ保持孔（３、３Ａ）から離れるにつれて、次第に狭くなるように形成したことを特徴とする医療用クランプ（１、１１）。
【請求項３】
板状の本体（２２）にチューブ保持孔（２３）を二箇所形成し、当該チューブ保持孔（２３）に、それぞれ連続して第一のチューブ挟持孔（２５）と第二のチューブ挟持孔（２６）を形成した、ことを特徴とする請求項１に記載の医療用クランプ（２１）。
【請求項４】
板状の本体（２２）の略中央に、略垂直に立ち上がるチューブ閉塞部材（２７）を突設し、当該チューブ閉塞部材（２７）にチューブ保持孔（３３）を形成し、当該チューブ保持孔（３３）に連続して、第三のチューブ挟持孔（２８）を形成し、第三のチューブ挟持孔（２８）の幅を前記チューブ保持孔（３３）から離れるにつれて次第に狭くなるように形成した、ことを特徴とする請求項１、３に記載の医療用クランプ（２１）。
【請求項５】
板状の本体（２２）にチューブ保持孔（２３）を二箇所形成し、当該チューブ保持孔（２３）に、それぞれ連続して第一のチューブ挟持孔（２５）と第二のチューブ挟持孔（２６）を形成し、
当該第一のチューブ挟持孔（２５）と前記第二のチューブ挟持孔（２６）の幅を、前記チューブ保持孔（２３）から離れるにつれて、次第に狭くなるように形成し、
本体（２２）の略中央に、略垂直に立ち上がるチューブ閉塞部材（２７）を突設し、当該チューブ閉塞部材（２７）にチューブ保持孔（３３）を形成し、当該チューブ保持孔（３３）に連続して、第三のチューブ挟持孔（２８）を形成し、第三のチューブ挟持孔（２８）の幅を前記チューブ保持孔（３３）から離れるにつれて次第に狭くなるように形成した、ことを特徴とする医療用クランプ（２１）。
【請求項６】
前記チューブ保持孔（３、３Ａ、２３）に連続して、チューブ（Ｔ）を着脱可能にするための切欠（９、９Ａ、２９）を形成した、ことを特徴とする請求項１ないし６に記載の医療用クランプ（１、１１、２１）。
【請求項７】
前記チューブ保持孔（３、３Ａ、２３）と前記第一ないし第三の各チューブ挟持孔（５、５Ａ、２５、６、６Ａ、２６、２８）の間に、チューブ（Ｔ）のガイド孔（４、２４）を形成したことを特徴とする請求項１ないし６に記載の医療用クランプ（１、１１、２１）。
【請求項８】
請求項１ないし請求項７に記載のクランプ（１、１１、２１）をチューブ（Ｔ）の途中に装着したことを特徴とする医療用具。
【考案の詳細な説明】
【技術分野】
【０００１】
本考案は、透析用血液回路や高カロリー輸液バッグ、輸液セット等に装着される医療用クランプ及び当該クランプを装着した医療用具の改良に関する。
【背景技術】
【０００２】
現在使用されている板状の医療用クランプ（以下「クランプ」と略記する）として、図１０に例示するものが使用されている。
クランプ５１は、本体５２の側部にチューブ保持孔５３を形成し、当該チューブ保持孔５３に連続して、チューブ挟持孔５５を一箇所形成し、当該チューブ挟持孔５５の幅を、前記チューブ保持孔５３から離れるにつれて、次第に狭くなるように形成している。
さらにチューブＴを取り外し可能にするために、チューブ保持孔５３に切欠５９を形成している。チューブＴを切欠５９からチューブ保持孔５３へ通し、チューブ挟持孔５５方向へ移動させると図１１のようにチューブ挟持孔５５で、チューブＴを挟持し、チューブＴ内を流れる液体を遮断する。
【０００３】
しかし、使用時に不用意にチューブＴに触ったり、予期せぬ力が加わったりすると、チューブＴがチューブ挟持孔５５からはずれ（チューブ保持孔５３へ移動）、チューブＴ内を流れる液体を遮断できなくなり、クランプとして機能しなくなる虞がある。
【０００４】
また特許文献１には、チューブＴを二箇所で挟持する立体的な箱型のクランプが開示されている。当該クランプは、上下に形成された第一凸部と第二凸部によりチューブＴを挟持するとともに、底部に形成された切欠（本考案の「チューブ挟持孔」に相当する）にチューブＴを挟持して、液体の流れを遮断できるようにしている。
【０００５】
しかしながら特許文献１のクランプは、立体的な箱型であるが故に、可撓性のチューブＴを第一凸部４及び第二凸部５で挟持し、さらに切欠で挟持すると、同文献の図７から図８に例示されているように、可撓性のチューブＴは、第一凸部と第二凸部の挟持部から、切欠（チューブ挟持孔）方向に極端に曲げざるを得ないので、他の部材と重なったり、絡みやすくなるため、操作が煩わしく、また見かけも良いものではない。
【０００６】
【特許文献１】特開２００３−３３９８６２号公報（図７、図８）
【考案の開示】
【考案が解決しようとする課題】
【０００７】
本考案が解決しようとする問題点は、従来の板状のクランプは、使用時にチューブＴに触ったり、力がかかったりすると、チューブＴがチューブ挟持孔５５からはずれ（チューブ保持孔５３へ移動）、チューブＴ内を流れる液体を遮断できなくなり、クランプとして機能しなくなる虞がある。また特許文献１に記載のクランプは、立体的な箱型であるが故に、チューブＴを、第一凸部と第二凸部の挟持部から、切欠（チューブ挟持孔）方向に極端に曲げざるを得ないので、立体的に嵩張る空間が大きくなり、他の部材と重なったり、絡みやすくなるため、操作が煩わしい点である。
【課題を解決するための手段】
【０００８】
そこで本考案者は、以上の課題を解決するために鋭意検討を重ねた結果、以下の考案に到達した。
［１］本考案は、板状の本体（２、２Ａ、２２）にチューブ保持孔（３、３Ａ、２３）を形成し、当該チューブ保持孔（３、３Ａ、２３）に連続して、第一のチューブ挟持孔（５、５Ａ、２５）と第二のチューブ挟持孔（６、６Ａ、２６）を形成し、
当該第一のチューブ挟持孔（５、５Ａ、２５）と前記第二のチューブ挟持孔（６、６Ａ、２６）の幅を、
前記チューブ保持孔（３、３Ａ、２３）から離れるにつれて、次第に狭くなるように形成した医療用クランプ（１、１１、２１）を提供する。
［２］本考案は、板状の本体（２、２Ａ）にチューブ保持孔（３、３Ａ）を形成し、当該チューブ保持孔（３、３Ａ）の両側に、連続して第一のチューブ挟持孔（５、５Ａ）と第二のチューブ挟持孔（６、６Ａ）を形成し、
当該第一のチューブ挟持孔（５、５Ａ）と前記第二のチューブ挟持孔（６、６Ａ）の幅を、
前記チューブ保持孔（３、３Ａ）から離れるにつれて、次第に狭くなるように形成した医療用クランプ（１、１１）を提供する。
［３］本考案は、板状の本体（２２）にチューブ保持孔（２３）を二箇所形成し、当該チューブ保持孔（２３）に、それぞれ連続して第一のチューブ挟持孔（２５）と第二のチューブ挟持孔（２６）を形成した、［１］に記載の医療用クランプ（２１）を提供する。
［４］本考案は、板状の本体（２２）の略中央に、略垂直に立ち上がるチューブ閉塞部材（２７）を突設し、当該チューブ閉塞部材（２７）にチューブ保持孔（３３）を形成し、当該チューブ保持孔（３３）に連続して、第三のチューブ挟持孔（２８）を形成し、第三のチューブ挟持孔（２８）の幅を前記チューブ保持孔（３３）から離れるにつれて次第に狭くなるように形成した［１］、［３］に記載の医療用クランプ（２１）を提供する。
［５］本考案は、板状の本体（２２）にチューブ保持孔（２３）を二箇所形成し、当該チューブ保持孔（２３）に、それぞれ連続して第一のチューブ挟持孔（２５）と第二のチューブ挟持孔（２６）を形成し、
当該第一のチューブ挟持孔（２５）と前記第二のチューブ挟持孔（２６）の幅を、前記チューブ保持孔（２３）から離れるにつれて、次第に狭くなるように形成し、
本体（２２）の略中央に、略垂直に立ち上がるチューブ閉塞部材（２７）を突設し、当該チューブ閉塞部材（２７）にチューブ保持孔（３３）を形成し、当該チューブ保持孔（３３）に連続して、第三のチューブ挟持孔（２８）を形成し、第三のチューブ挟持孔（２８）の幅を前記チューブ保持孔（３３）から離れるにつれて次第に狭くなるように形成した、ことを特徴とする医療用クランプ（２１）を提供する。
［６］本考案は、前記チューブ保持孔（３、３Ａ、２３）に連続して、チューブ（Ｔ）を着脱可能にするための切欠（９、９Ａ、２９）を形成した［１」ないし［５］に記載の医療用クランプ（１、１１、２１）を提供する。
［７］本考案は、前記チューブ保持孔（３、３Ａ、２３）と前記第一ないし第三の各チューブ挟持孔（５、５Ａ、２５、６、６Ａ、２６、２８）の間に、チューブ（Ｔ）のガイド孔（４、２４）を形成した［１］ないし［６］に記載の医療用クランプ（１、１１、２１）を提供する。
［８］本考案は、［１］ないし［７］に記載のクランプ（１、１１、２１）をチューブ（Ｔ）の途中に装着した医療用具を提供する。
【考案の効果】
【０００９】
本考案のクランプ１、１１は、チューブ保持孔３、３Ａの両側に、連続して、二つのチューブ挟持孔（第一のチューブ挟持孔５、５Ａと第二のチューブ挟持孔６、６Ａ）を、形成しているので、例えば、チューブＴが、第一のチューブ挟持孔５、５Ａから外れる方向に力が加わっても、チューブＴを曲げなくてもチューブＴがそのまま第二のチューブ挟持孔６、６Ａへ移動するので、挟持状態を維持することができる。
本考案のクランプ２１は、チューブＴを三箇所のチューブ挟持孔２５、２６、２８で挟持するので、どれか一つないし二つの挟持が緩んでも、残りの一ないし二箇所のチューブ挟持孔で、確実に挟持状態を維持することができる。
また本考案のクランプ２１は、平坦な板状であるが故に、チューブＴを第三のチューブ挟持孔２８で、挟持する際に、多少曲がっても、立体的に嵩張ることがなく、他の部材と重なったり、絡むことがなくなり、操作性が良い。
【考案を実施するための最良の形態】
【００１０】
図１、図３は本考案のクランプ１、１１の平面図で、図２は図１のクランプ１のチューブを挟持する前後の平面図である。
クランプ１、１は、板状の本体２、２Ａにチューブ保持孔３、３Ａを形成し、当該チューブ保持孔３、３Ａの両側に、連続して第一のチューブ挟持孔５、５Ａと第二のチューブ挟持孔６、６Ａを形成している。
当該第一のチューブ挟持孔５、５Ａと前記第二のチューブ挟持孔６、６Ａの幅は、前記チューブ保持孔３、３Ａから離れるにつれて、次第に狭くなるように形成している。
チューブ保持孔３、３Ａには、必要に応じてチューブＴを着脱できるように、切欠９、９Ａが形成されている。
【００１１】
図２のようにチューブＴをチューブ保持孔３、３Ａに装着し、第一のチューブ挟持孔５、５Ａまたは第二のチューブ挟持孔６、６Ａ方向へ移動させることによりチューブＴを挟持し、チューブＴ内を流れる液体を遮断することができる。
また図３のクランプ１１のように、チューブ保持孔３Ａと第一のチューブ挟持孔５Ａ（第二のチューブ挟持孔６Ａ）の間に、これらの幅の中間の幅を有するガイド孔４を形成することにより、チューブＴを、第一のチューブ挟持孔５、５Ａまたは第二のチューブ挟持孔６、６Ａ方向へ容易に移動させることができる。
【００１２】
本考案のクランプ１、１１は、チューブ保持孔３、３Ａの両側に連続して、二つのチューブ挟持孔（第一のチューブ挟持孔５、５Ａと第二のチューブ挟持孔６、６Ａ）を形成しているので、例えば、チューブＴが、第一のチューブ挟持孔５、５Ａから外れる方向に力が加わっても、チューブＴを曲げなくても、チューブＴがそのまま第二のチューブ挟持孔６、６Ａへ移動するので、挟持状態を維持することができる。
【００１３】
図４から図６は本考案のその他の実施例を示すクランプ２１の概略図で、図４はクランプのみの概略図、図５はチューブＴを装着したクランプの概略図、図５はチューブＴを挟持したクランプの概略図、それぞれ（ａ）は平面図（ｂ）側面図（ｃ）正面図である。
クランプ１は、板状の本体２２にチューブ保持孔２３を二箇所形成し、当該チューブ保持孔２３に、それぞれ連続して第一のチューブ挟持孔２５と第二のチューブ挟持孔２６を形成している。
当該第一のチューブ挟持孔２５と前記第二のチューブ挟持孔２６の幅を、前記チューブ保持孔２３から離れるにつれて、次第に狭くなるように形成している。
本体２２の略中央に、略垂直に立ち上がるチューブ閉塞部材２７を突設し、当該チューブ閉塞部材２７にチューブ保持孔３３を形成している。
さらに当該チューブ保持孔３３に連続して、第三のチューブ挟持孔２８を形成し、第三のチューブ挟持孔２８の幅を前記チューブ保持孔３３から離れるにつれて次第に狭くなるように形成している。
前記チューブ保持孔２３、３３には、必要に応じてチューブＴを着脱できるように、切欠２９が形成されている。
【００１４】
図５に例示するように、チューブＴを略トライアングルを形成するように、三箇所のチューブ保持孔２３、２３、３３に装着し、図６に例示するように、それぞれ第一のチューブ挟持孔２５、第二のチューブ挟持孔２６、第三のチューブ挟持孔２８方向へ移動させることによりチューブＴを三箇所で挟持し、チューブＴ内を流れる液体を遮断することができる。
さらに詳述すれば図７に例示するように、（ａ）チューブＴを略直線状のまま第一のチューブ挟持孔２５のみで挟持し、（ｂ）さらに（ａ）のチューブＴの一端部を閉塞部材２７方向に略鋭角に折り曲げて、第三のチューブ挟持孔２８で挟持し、（ｃ）さらに（ｂ）のチューブＴの一端部を下方（本体２２方向）に略鋭角に折り曲げて、第二のチューブ挟持孔２６で挟持し、チューブＴを三箇所で挟持し、チューブＴ内を流れる液体を遮断することができる。
本考案のクランプ２１は、チューブＴを三箇所のチューブ挟持孔２５、２６、２８で、挟持するので、どれか一つないし二つの挟持が緩んでも、残りの一ないし二箇所のチューブ挟持孔で、確実に挟持状態を維持することができる。
例えば、本考案のクランプ２１は、二つのチューブ挟持孔（第一のチューブ挟持孔２５と第二のチューブ挟持孔２６）の他に、本体２２の略中央に、略垂直に立ち上がる第三のチューブ挟持孔２８を形成しているので、前記二つのチューブ挟持孔（第一のチューブ挟持孔５、５Ａ、２５と第二のチューブ挟持孔６、６Ａ、２６）で、挟持していたチューブＴの挟持が緩くなったり、はずれたりしても、第三のチューブ挟持孔２８で、確実にチューブＴを挟持できる。
また本考案のクランプ２１は、平坦な板状であるが故に、チューブＴを、第一のチューブ挟持孔２５、第二のチューブ挟持孔２６及び第三のチューブ挟持孔２８で、挟持する際に、多少曲がっても、立体的に嵩張ることがなく、他の部材と重なったり、絡むことがなくなり、操作性が良い。
【００１５】
また図８（ａ）に例示するように、チューブ保持孔３３と第三のチューブ挟持孔２８の間に、これらの幅の中間の幅を有するガイド孔２４を形成することにより、チューブＴを、第三のチューブ挟持孔２８Ａ方向へ容易に移動させることができる。
また図８（ｂ）、（ｃ）に例示するように、チューブ保持孔３３と第三のチューブ挟持孔２８は、チューブ閉塞部材２７の側面に形成するようにしても良い。
【図面の簡単な説明】
【００１６】
【図１】本考案のクランプ１の平面図
【図２】チューブを挟持する前後のクランプの平面図
【図３】本考案のクランプ１１の平面図
【図４】本考案のクランプ２１の概略図［（ａ）平面図（ｂ）右側面図（ｃ）正面図］
【図５】チューブＴを装着したクランプ２１の概略図［（ａ）平面図（ｂ）右側面図（ｃ）正面図］
【図６】チューブＴを挟持したクランプ２１の概略図［（ａ）平面図（ｂ）右側面図（ｃ）正面図］
【図７】（ａ）チューブＴを第一の挟持孔２５で挟持した状態、（ｂ）チューブＴを第一の挟持孔２５と第二の挟持孔２６で挟持した状態、（ｃ）チューブＴを第一の挟持孔２５と第二の挟持孔２６と第三の挟持孔２８で挟持した状態
【図８】本考案のクランプ２１のチューブ閉塞部材２７のその他の実施例を示す一部拡大図
【図９】従来のクランプ５１の平面図
【図１０】従来のクランプ５１のチューブを挟持する前後の平面図
【符号の説明】
【００１７】
１、１１、２１、５１  クランプ
２、２Ａ、２２、５２  本体
３、３Ａ、２３、３３、５３  チューブ保持孔
４、２４  ガイド孔
５、５Ａ、３５、５５  第一の挟持孔
６、６Ａ、２６  第二の挟持孔
７  チューブ閉塞部材
２８  第三の挟持孔
９、９Ａ、２９、３９、５９  切欠
Ｔ  チューブ
【図１】
0003119004.tif 000003
【図２】
0003119004.tif 000004
【図３】
0003119004.tif 000005
【図４】
0003119004.tif 000006
【図５】
0003119004.tif 000007
【図６】
0003119004.tif 000008
【図７】
0003119004.tif 000009
【図８】
0003119004.tif 000010
【図９】
0003119004.tif 000011
【図１０】
0003119004.tif 000012
【手続補正書】
【提出日】平成17年10月25日(2005.10.25)
【手続補正１】
【補正対象書類名】実用新案登録請求の範囲
【補正対象項目名】請求項６
【補正方法】変更
【補正の内容】
【請求項６】
前記チューブ保持孔（３、３Ａ、２３）に連続して、チューブ（Ｔ）を着脱可能にするための切欠（９、９Ａ、２９）を形成した、ことを特徴とする請求項１ないし５に記載の医療用クランプ（１、１１、２１）。